【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  送信波形を複数の部分に分割するステップと、
前記送信波形の複数の部分を再配列して再配列波形を生成するステップと、
再配列した前記複数の部分を送信するステップと、
を具備する無線通信システムにおいてピーク送信パワーを制限する方法。
【請求項２】  一連の前記複数の部分の再配列はランダム再配列である請求項１に記載の方法。
【請求項３】  前記ランダム再配列は、ランダム数発生器を使用して新しい部分配列シーケンスを連続的に生成することによりなされる請求項２に記載の方法。
【請求項４】  前記送信波形の複数の部分のうち少なくとも１つは、パイロット信号を含む請求項１に記載の方法。
【請求項５】  前記送信波形の複数の部分のうち少なくとも１つは、音声信号を含む請求項１に記載の方法。
【請求項６】  前記送信波形の複数の部分のうち少なくとも１つは、データ信号を含む請求項１に記載の方法。
【請求項７】  送信波形を複数の部分に分割する手段と、
前記送信波形の複数の部分を再配列して再配列波形を生成する手段と、
再配列した前記複数の部分を送信する手段と、
を具備する無線通信システムにおいてピーク送信パワーを制限するシステム。
【請求項８】  前記再配列波形を生成する手段は、ランダム再配列手段である請求項７に記載のシステム。
【請求項９】  前記ランダム再配列手段は、新しい部分配列シーケンスを連続的に生成するランダム数発生器である請求項８に記載のシステム。
【請求項１０】  送信波形を複数の領域に分割するステップと、
前記複数の領域の２以上の領域をサブ領域に分割するステップと、
２以上の前記サブ領域を互いにインターリーブして、インターリーブサブ領域からなるインターリーブ送信波形を形成するステップと、
前記インターリーブ送信波形を送信するステップと、
を具備する無線通信システムにおいてピーク送信パワーを制限する方法。
【請求項１１】  前記インターリーブサブ領域は、所定の順序で送信される請求項１０に記載の方法。
【請求項１２】  前記インターリーブサブ領域は、ランダム順序で送信される請求項１０に記載の方法。
【請求項１３】  前記送信波形の複数の領域のうち少なくとも１つは、パイロット信号を含む請求項１０に記載の方法。
【請求項１４】  前記送信波形の複数の領域のうち少なくとも１つは、音声信号を含む請求項１０に記載の方法。
【請求項１５】  前記送信波形の複数の領域のうち少なくとも１つは、データ信号を含む請求項１０に記載の方法。
【請求項１６】  送信波形を複数の領域に分割する手段と、
前記複数の領域の２以上の領域をサブ領域に分割する手段と、
２以上の前記サブ領域を互いにインターリーブして、インターリーブサブ領域からなるインターリーブ送信波形を形成する手段と、
前記インターリーブ送信波形を送信する手段と、
を具備する無線通信システムにおいてピーク送信パワーを制限するシステム。
【請求項１７】  前記インターリーブ送信波形を送信する手段は、所定の順序で前記サブ領域を送信する手段を含む請求項１７に記載のシステム。
【請求項１８】  前記インターリーブ送信波形を送信する手段は、ランダムな順序で前記サブ領域を送信する手段を含む請求項１７に記載のシステム。
【請求項１９】  送信波形を複数の部分に分割する波形セパレータと、
前記送信波形の複数の部分を再配列して再配列波形を生成する波形再配列器と、
再配列した前記複数の部分を送信する送信器と、
を具備する無線通信システムにおいてピーク送信パワーを制限する送信機。
【請求項２０】  一連の前記複数の部分の再配列はランダム再配列である請求項１９に記載の送信機。
【請求項２１】  前記ランダム再配列は、ランダム数発生器を使用して新しい部分配列シーケンスを連続的に生成することによりなされる請求項２０に記載の送信機。
【請求項２２】  前記送信波形の複数の部分のうち少なくとも１つは、パイロット信号を含む請求項１９に記載の送信機。
【請求項２３】  前記送信波形の複数の部分のうち少なくとも１つは、音声信号を含む請求項１９に記載の送信機。
【請求項２４】  前記送信波形の複数の部分のうち少なくとも１つは、データ信号を含む請求項１９記載の送信機。
【請求項２５】  送信波形を複数の領域に分割し、前記複数の領域の２以上の領域をサブ領域に分割する波形セパレータと、
２以上の前記サブ領域を互いにインターリーブして、インターリーブサブ領域からなるインターリーブ送信波形を形成するインターリーバと、
前記インターリーブ送信波形を送信する送信器と、
を具備する無線通信システムにおいてピーク送信パワーを制限する送信機。
【請求項２６】  前記インターリーブサブ領域は、所定の順序で送信される請求項２５に記載の送信機。
【請求項２７】  前記インターリーブサブ領域をランダム順序で送信するランダム数発生器を更に含む請求項２５に記載の送信機。
【請求項２８】  前記送信波形の複数の領域のうち少なくとも１つは、パイロット信号を含む請求項２５に記載の送信機。
【請求項２９】  前記送信波形の複数の領域のうち少なくとも１つは、音声信号を含む請求項２５に記載の送信機。
【請求項３０】  前記送信波形の複数の領域のうち少なくとも１つは、データ信号を含む請求項２５に記載の送信機。
【請求項３１】  送信波形を複数の部分に分割する波形セパレータと、
前記送信波形の複数の部分を再配列して再配列波形を生成する波形再配列器と、
再配列した前記複数の部分を送信する送信器と、
を具備する無線通信システムにおいてピーク送信パワーを制限する基地局。
【請求項３２】  送信波形を複数の部分に分割する波形セパレータと、
前記送信波形の複数の部分を再配列して再配列波形を生成する波形再配列器と、
再配列した前記複数の部分を送信する送信器と、
を具備する無線通信システムにおいてピーク送信パワーを制限する移動局。
【請求項３３】  送信波形を複数の領域に分割し、前記複数の領域の２以上の領域をサブ領域に分割する波形セパレータと、
２以上の前記サブ領域を互いにインターリーブして、インターリーブサブ領域からなるインターリーブ送信波形を形成するインターリーバと、
前記インターリーブ送信波形を送信する送信器と、
を具備する無線通信システムにおいてピーク送信パワーを制限する基地局。
【請求項３４】  送信波形を複数の領域に分割し、前記複数の領域の２以上の領域をサブ領域に分割する波形セパレータと、
２以上の前記サブ領域を互いにインターリーブして、インターリーブサブ領域からなるインターリーブ送信波形を形成するインターリーバと、
前記インターリーブ送信波形を送信する送信器と、
を具備する無線通信システムにおいてピーク送信パワーを制限する移動局。
【手続補正２】
【補正対象書類名】明細書
【補正対象項目名】００１９
【補正方法】変更
【補正の内容】
【００１９】
例えば、幾つかの既知システムの総送信パワーは次式のように計算される。
【数１】
2002524913.tif 000001
ここで、（１−α）＜１は忘却係数であり、／Ｐnは時間ｎにおけるフレームパワー評価値を有するベクトルであり、要素／Ｐn’はそのフレーム中のｉ番目のシンボル期間中の評価パワーに対応し、／ｅnは、時間ｎにおける１フレームに対して測定されたパワーを含んでいるベクトルである。
【手続補正３】
【補正対象書類名】図面
【補正対象項目名】図１
【補正方法】変更
【補正の内容】
【図１】
2002524913.tif 000002
【手続補正４】
【補正対象書類名】図面
【補正対象項目名】図２
【補正方法】変更
【補正の内容】
【図２】
2002524913.tif 000003